(57)【要約】【課題】  空間に充満するエネルギーと言われる宇宙エネルギーを電力源とする、電磁的回路構成法の開発により、電力エネルギーとして導き出す電力生成法と、付随して発生する障害電流を抑制する目的をもつ無効電力生成法による併合的回路構成をもって、効率的な生成電力を提供する。【解決手段】  三相交流電源の入力を得るＹ−△結線の二次３出力独立巻線回路から同時に、しかも互いに等値の三相出力電力を供給する回路構成を持ち、かつ三相出力電力に付随して、該入力三相交流電源三相回路の各回路に誘発する誘導性無効電流を、Ｙ−△結線の二次１巻線回路と△−Ｙ結線の二次１複合巻線回路から３通路の無電圧構成回路Ｇを形成し、該３構成回路Ｇに、入力交流電源各三相電圧とは電気角９０度の位相差を持つ相電流を投入し、該入力三相交流電源三相回路に誘発する容量性無効電流をもって消失させる。【選択図】図６
2008061483.tif 000002
【特許請求の範囲】
【請求項１】
三相交流電源の入力を得るＹ−△結線の二次３出力独立巻線回路から同時に、しかも互いに等値の三相出力電力を供給する回路構成を持つと共に、該入力三相交流電源三相各回路に、容量性リアクタンス回路を並列に設けて、出力電力に付随して、該入力三相交流電源三相電圧回路の各回路に誘発する誘導性無効電流を、容量性無効電流にて消失させる事を特徴とする、新エネルギーによる三相電力生成法。
【請求項２】
三相交流電源（Ｐ）の入力を得るＹ−△結線（変圧器）の二次側１巻線回路と△−Ｙ結線（変圧器）の二次側１複合巻線回路とで形成出来る無電圧構成回路Ｇに、無電圧構成回路Ｇが内包している入力三相交流電源（Ｐ）の１相［１例・Ｒ相］電圧に対して、電気角９０度の位相差にある、△−Ｙ結線（変圧器）の二次側１複合小巻線回路の相［ＴＳ相］電圧から得られる１相［ＴＳ相］電流Ｍを導通する事により、入力三相交流電源（Ｐ）の入力１相［Ｒ相］電圧回路に、１相［Ｒ相］電圧に対して電気角９０度の位相差を持つ無効電流を誘発させる事を特徴とする無効電力生成法を、請求項１記載の容量性リアクタンス回路の役割を、より効率化する目的で組み入れた、新エネルギーによる三相電力生成法。
【請求項３】
請求項２に組み入れている無効電力生成法。
すなわち、三相交流電源（Ｐ）の入力を得るＹ−△結線（変圧器）の二次側１巻線回路と△−Ｙ結線（変圧器）の二次側１複合巻線回路とで形成出来る無電圧構成回路Ｇに、無電圧構成回路Ｇが内包している入力三相交流電源（Ｐ）の１相［１例・Ｒ相］電圧に対して、電気角９０度の位相差にある、△−Ｙ結線（変圧器）の二次側１複合小巻線回路の相［ＴＳ相］電圧から得られる１相［ＴＳ相］電流Ｍを導通する事により、入力三相交流電源（Ｐ）の入力１相［Ｒ相］電圧回路に、１相［Ｒ相］電圧に対して電気角９０度の位相差を持つ無効電流を誘発させる事を特徴とする無効電力生成法。
【発明の詳細な説明】
【技術分野】
【０００１】  本発明は、物質の変換エネルギーから電力を得る従来の方式から逸脱し、空間に存在する無限のエネルギー（宇宙、真空、又はフリーエネルギーとも言われる。）をエネルギー源とした三相電力生成法と、該生成法に付随して生じる無効電力を消失させる無効電力生成法に関するものである。
【背景技術】
【０００２】  本発明の電力生成法は、従来の電気回路技術の更なる発展の基に開発を進めてきたものであり、特に参考とする従来の技術背景はないが、探求の動機としているのは、現在に於ける世界のエネルギー事情から、多くの研究者による宇宙エネルギー利用の開発情報にある。例えば、最近の宇宙物理学分野に於いて、実験を以て真空エネルギーの存在が確認されている所である。（この情報源、２００４年ＮＨＫ放映・宇宙への大紀行）【０００３】  本発明を開発するに当たっての思念的技術背景は、従来の電磁理論で説明される変圧器作用の更なる追及にある。この世界で経験する通常の事象では、因果律に従って進行している。電磁理論で述べられる変圧器作用も、同様の見解を以て矛盾のない説明が望まれる。
従来では、一次入力巻線回路、及び二次出力巻線回路を設けた通常の変圧器に於いて、（電源の入力有り。）今、二次出力巻線両端子に負荷Ｒを接続すれば、即座に二次負荷電流（ｉ−１）が流れようとする。そこで変圧器内の相互誘導作用の働きにより、一次入力巻線回路に一次誘導電流（ｉ−２）が導入されることで、電気的エネルギーの均衡が保たれて安定する。との説明に止どまり、自然界のエネルギーが関与する理論的な説明は得られていなかった。
文中の電流値としているｉ記号は、以下の説明文に於いても常時変化する交流電流値の総称として示している。同様に、交流電圧値並びに交流電力値の記号も比較上の総称としている。【０００４】  本発明の理念は、変圧器作用の因果的過度現象を重視する所から、二次出力負荷電流（ｉ−１）の発生初期に注目すると、初期の出力負荷電流（ｉ−１）は、入力電源電流でもある一次誘導電流（ｉ−２）に対して、瞬時的に先行する発現電流である事は明白であり、過度的に入力電源エネルギーとは関わらない、自発的電気現象と観なければならない、としている。この自発的電気現象は、自然界に存在するエネルギーの発現として理解すると共に、空間に充満するエネルギー（宇宙エネルギー）の存在を肯定する事で、容易に受け入れられるもので、自然界から出現するエネルギー的現象は、自然法則そのものであるとして，これを本発明への基本概念としている。
【発明の開示】
【発明が解決しようとする課題】
【０００５】  本発明は、上記の空間に充満するエネルギーを、無尽蔵の新エネルギー源として掲げ、技術的な電気回路の構成法をもって、新エネルギーを電力として導き出す三相電力生成法を提供するにある。
さらに本発明の三相電力生成法では、誘導性無効電力の発生を抑制する必要から、無効電力生成法を同時に提供する事により、互いの無効電力を相殺的に消失させて、新生電力を効果的に、かつ効率的に生成しようとするものである。
文中の誘導性無効電流とは、相電圧に対して、電気角９０度の遅相電流としている。
【課題を解決するための手段】
【０００６】  本発明は、上記の目的を達成する為に、正弦波三相交流電源（Ｐ）の入力を得る、Ｙ−△結線（変圧器）の二次側に於ける３巻線回路を、それぞれ独立の相（Ｕ，Ｖ，Ｗ）電圧出力巻線回路として、同値の三相（Ｕ，Ｖ，Ｗ）出力電力を、同時に負荷に供給できる回路調整下にある電気的回路構成を備える事によって、入力電源電力の導入を得る事なく負荷に新エネルギーによる生成電力を供給しようとするものである。
また本発明による三相電力生成法は、入力三相交流電源（Ｐ）の入力三相（Ｒ，Ｓ，Ｔ）電圧回路に、負荷供給出力に付随する誘導性の無効電流が流動する事になるので、この障害的産物である無効電流を除去するのに、入力三相交流電源（Ｐ）の各相電圧回路に、容量性無効電流を発生する機器を設けることを手段として開発した、補助法となる無効電力生成法を併用（組み入れる）する事により、効果的で効率的な三相電力生成法とするものである。
尚、小負荷出力の場合には、容量性無効電流を得る手段として、入力三相交流電源（Ｐ）各相電圧回路に容量性リアクタンス回路（進相コンデンサー等）を並列に設ける方が容易で適性とする選択もある。
文中の容量性無効電流とは、相電圧に対して電気角９０度の進相電流としている。【０００７】  次に上記の無効電力生成法に於いては、以下の様な電磁的回路構成Ｄを主体としている。
三相交流電源（Ｐ）の入力を得るＹ−△結線（変圧器）の二次側１巻線回路と△−Ｙ結線（変圧器）の二次側１複合巻線回路とで形成出来る無電圧構成回路Ｇに、該無電圧構成回路Ｇが内包している入力三相交流電源（Ｐ）の１相電圧［１例・Ｒ相］に対して、電気角９０度の位相差にある、△−Ｙ結線（変圧器）の二次側１複合小巻線回路の相［ＴＳ相］電圧から得られる１相［ＴＳ相］電流Ｍを導通する事により、入力三相交流電源（Ｐ）の入力１相［Ｒ相］電圧回路に、１相［Ｒ相］電圧に対して電気角９０度の位相差を持つ無効電流を誘発させるものである。
この無効電力生成法では、該無効電圧構成回路Ｇに対して導通する相［ＴＳ相］電流を逆流方向の導通電流とすれば、入力三相交流電源（Ｐ）の入力１相［Ｒ相］電圧回路に誘発し流動する無効電流は、容量性と誘導性が入れ替わる特徴的な無効電力生成法となっている。【０００８】  従って、本無効電力生成法によれば、簡単な電気配線回路の切替えを行う事によって、容量性と、誘導性の無効電流を共に発生する電磁的構成回路を作成出来る共に、該電磁的構成回路Ｄへの入力三相交流電源（Ｐ）の三相電源端子を、順次切替えの接続形態を持つ事によって、入力三相交流電源（Ｐ）の各相電圧回路に、順次に無効電流を発生させる事が出来るものである。
但し、本発明の三相電力生成法による実施上では、入力三相交流電源（Ｐ）の三相電圧回路の各々に無効電流を発生させる三通りの回路構成を設けている。
又、該無電圧構成回路Ｇに導通する、相電流Ｍの発生回路から生じる電気的損失分については，該相電流Ｍを発生させる相出力回路の出力電圧を低く構成する事で、損失分を極力押さえる事が出来る。
【発明の効果】
【０００９】  本発明の三相電力生成法によって得られる生成電力は、地球資源を全く消費しないクリーンエネルギーとして誕生しているので、今後の地球環境を良くする最善のエネルギーであり、枯渇しないエネルギー源として遥か未来に渡って活用して行けるものである。
本発明の三相電力生成法によって得られる三相波の生成電力は、共々に同値の相電力を同時に消費する事により、生成電力としての効果をあげるものなので、三相電動機並びに三相電動発電機等の活用によって、様々な電力系統の需要にも応じる事が出来る事から、今後の電力源としての期待は大きいものである。
又、本三相電力生成法による装置は、静止形機器であると共に、簡単な構成による移動可能な無公害電力源として、様々な交通機関等の動力源に用いる事が出来る。【００１０】  次に、本発明の無効電力生成法による装置は、誘導性と容量性の無効電力を簡単な電気配線回路の切替えによって変更が出来ると共に、該装置に印加する入力三相交流電源（Ｐ）の三電源端子の切替えにより、入力１相回路に流動する無効電流を他相回路に変更出来る簡便さは、配電時の力率の改善に、従来では設備の要する進相コンデンサー、並びに進相機、調相機等の回転機に替えて活用して行ける効果を持っている。
【発明を実施するための最良の形態】
【実施例１】
【００１１】  以下、本発明の三相電力生成法に基づく実施例１の形態を図１、図２、図３を参照して説明する。
図１に於いて、破線に囲まれた（１１７）はＹ−△結線構成の三相変圧器で、破線内部は３台の単相変圧器Ｅを連ねた構成にあって、入力側３線路（１０５、１０６、１０７）は入力三相交流電源（Ｐ）端子「（１０５）と（１０１Ｒ相）」、「（１０６）と（１０２Ｓ相）」、「（１０７）と（１０３Ｔ相）」に接続している。
３台の単相変圧器Ｅの入力側一次巻線巻数を１Ｌ、出力側二次巻線巻数を３Ｌとしている。
入力三相交流電源（Ｐ）の端子間（１０１と１０２）相電圧をＲ相電圧、端子間（１０２と１０３）相電圧をＳ相電圧，端子間（１０３と１０１）相電圧をＴ相電圧として示し、それぞれの相電圧（Ｒ，Ｓ，Ｔ）回路に対して各々進相用コンデンサー（１０４Ａ，１０４Ｂ，１０４Ｃ）を並列に接続している。尚、入力三相交流電源（Ｐ）の相順位はＲ、Ｓ，Ｔである。
Ｙ−△結線変圧器（１１７）の出力側二次巻線回路「Ｕ相巻線回路（１０８）、Ｖ相巻線回路（１０９），Ｗ相巻線回路（１１０）」から得られる出力３線路（１１１）、（１１２）、（１１３）は、三相交流電動発電機（１１４）の入力３端子（１１５）に接続し、単相出力用２端子（１１６）は、抵抗性負荷体（１１９）に接続している。三相交流電動発電機（１１４）は、入力側を三相交流電動機、出力側を単相交流発電機としている。【００１２】  次に上記実施例１に於ける、三相交流電源（Ｐ）の印加による動作を説明する。
入力三相交流電源（Ｐ）の印加により、抵抗性負荷体（１１９）は、三相交流電動発電機（１１４）より単相電力の供給を受けるが、この供給電力ＺはＹ−△結線変圧器（１１７）に於ける二次巻線回路の３相波「Ｕ相（１０８）、Ｖ相（１０９）、Ｔ相（１１０）」出力電力の電気的変換エネルギ−であり、その内容は、３相波（Ｕ、Ｖ、Ｗ）の波動的電力を、同時性をもって共に等しく抵抗性負荷体（１１９）に電力を供給する電気的回路構成に在る事から、Ｙ−△結線変圧器（１１７）の一次３巻線回路（１１８）には、互いに等しい一次負荷電流が流動する。
文中の一次負荷電流とは、電磁誘導作用により二次負荷電流を起因として一次回路側に誘導される電流としている。【００１３】  次に入力三相交流電源（Ｐ）の一次三相波電圧回路に流動する一次負荷電流の形態を、図２、及び図３を参照して説明する。
図２のイ．は、一次Ｒ相、及び一次Ｓ相電圧を線図一次Ｒ、及び一次Ｓで示し、二次Ｖ相電圧を一次相電圧に対抗する相電圧として線図二次Ｖとして示し、二次Ｖ相回路に発生する二次負荷Ｖｉ電流が，電磁誘導により一次側回路に誘発される一次負荷電流Ｖｉの相電流を，破線図一次Ｖｉとして示している。
また図２のイ．に於いては、二次Ｖ相回路に発生する二次負荷電流Ｖｉは一次Ｒ相電圧回路、及び一次Ｓ相電圧回路のみに一次負荷電流Ｖｉを誘発している事を示している。【００１４】  図２のロ．は、一次Ｔ相、及び一次Ｒ相電圧を線図一次Ｔ、及び一次Ｒで示し、二次Ｕ相電圧を一次相電圧に対抗する相電圧として線図二次Ｕとして示し、二次Ｕ相回路に発生する二次負荷Ｕｉ電流が，電磁誘導により一次側回路に誘発される一次負荷電流Ｕｉの相電流を，破線図一次Ｕｉとして示している。
また図２のロ．に於いては、二次Ｕ相回路に発生する二次負荷電流Ｕｉは一次Ｔ相電圧回路、及び一次Ｒ相電圧回路のみに一次負荷電流Ｕｉを誘発している事を示している。【００１５】  図２のハ．は、一次Ｓ相、及び一次Ｔ相電圧を線図一次Ｓ、及び一次Ｔで示し、二次Ｗ相電圧を一次相電圧に対抗する相電圧として線図二次Ｗとして示し、二次Ｗ相回路に発生する二次負荷Ｗｉ電流が，電磁誘導により一次側回路に誘発される一次負荷電流Ｗｉの相電流を，破線図一次Ｗｉとして示している。
また図２のハ．に於いては、二次Ｗ相回路に発生する二次負荷電流Ｗｉは一次Ｓ相電圧回路、及び一次Ｔ相電圧回路のみに一次負荷電流Ｗｉを誘発している事を示している。【００１６】  ここに於いて、入力三相交流電源（Ｐ）の各相（Ｒ，Ｓ，Ｔ）電圧回路に流動する全ての一次負荷電流を表したが、さらに個々の相（Ｒ，Ｓ，Ｔ）電圧回路に流動する一次負荷電流の合成形態を示しているのが図３である。【００１７】  図３は、図２より導かれる線図であり、図３のニ．は、一次Ｒ相電圧回路に於けるＲ相波電圧を線図一次Ｒで示し、一次Ｒ相電圧回路に流動する一次負荷電流を破線一次Ｖｉ、一次Ｕｉで示し、その合成電流ｕｖｉを二点破線ｕｖｉで表しているもので、この合成電流ｕｖｉは、一次Ｒ相電圧に対して電気角９０度の遅相にある誘導性無効電流ｕｖｉとして一次Ｒ相電圧回路に流動することを示している。
同じく、図３のホ．は、一次Ｔ相電圧回路に於けるＴ相波電圧を線図一次Ｔで示し、一次Ｔ相電圧回路に流動する一次負荷電流を破線一次Ｗｉ、一次Ｕｉで示し、その合成電流ｗｕｉを二点破線ｗｕｉで表しているもので、この合成電流ｗｕｉは、一次Ｔ相電圧に対して電気角９０度の遅相にある誘導性無効電流ｗｕｉとして一次Ｔ相電圧回路に流動することを示している。
同じく、図３のヘ．は、一次Ｓ電圧回路に於けるＳ相波電圧を線図一次Ｓで示し、一次Ｓ相電圧回路に流動する一次負荷電流を破線一次Ｖｉ、一次Ｗｉで示し、その合成電流ｖｗｉを二点破線ｖｗｉで表しているもので、この合成電流ｖｗｉは、一次Ｓ相電圧に対して電気角９０度の遅相にある誘導性無効電流ｖｗｉとして一次Ｓ相電圧回路に流動することを示している。【００１８】  以上の説明による一次負荷誘導電流の流れから明らかなように、実施例１構成回路の二次出力負荷電流により誘導される一次入力電源（Ｐ）各相電圧回路の一次負荷誘導電流は、三相（Ｒ，Ｓ，Ｔ）電圧回路に対して共々誘導性無効電流として流動している事が明確であると共に、実施例１構成回路に於ける一次入力電源（Ｐ）１相電圧回路に流動する誘導性無効電流値が各々等値である事により、一次入力電源（Ｐ）各相（Ｒ，Ｓ，Ｔ）電圧回路に容量の等しい各進相用コンデンサー（１０４Ａ、１０４Ｂ，１０４Ｃ）を並列に設けて、各相回路の誘導性無効電流を容量性無効電流にて共振を起こし、入力電源（Ｐ）回路に流動する無効電流を消失させる回路構成としている。
従って、実施例１装置は、入力電源（Ｐ）電力を得る事なく継続して単相交流電力を抵抗性負荷体（１１９）に供給出来るもので、定出力時には簡単な装置として実施出来るものである。
なお、実施例１で採用しているＹ−△結線変圧器（１１７）は、三相用内部三脚鉄心材を用いた三相用変圧器に交換する事が出来る。
以上の全構成から、抵抗性負荷体（１１９）に供給される電力は、入力電源（Ｐ）電力を導入せずに得られる電力エネルギーであり、新エネルギ−が電力に変換しているものと解釈出来るもので、ここに三相電力生成法の成立を観る事が出来る。
すなわち、三相交流電源（Ｐ）の入力を得るＹ−△結線の二次出力側３巻線回路から得られる三相出力回路を、各々独立の相電圧出力回路として同値の各相電力を負荷に供給する構成を持ち、三相波の出力電力を同時性を持って等しく供給する回路体制にあると共に、三相出力電力に付随して、入力三相交流電源（Ｐ）の各三相電圧回路に誘発する誘導性無効電流を、前記各三相電圧回路に、並列に設けた容量性リアクタンス回路に流動する容量性無効電流をもって消失させ、負荷には新生する生成電力を供給する電力生成法である。
従って、本実施例１に用いている三相交流電動発電機（１１４）に替えて、三本の等値発熱抵抗体系、及び三相照明器系、三相電動動力機系等を設ける事により、広範囲に渡る電力生成装置を作成出来るものである。
【実施例２】
【００１９】  実施例２は、本発明の三相電力生成法による装置を、より効率、効果的に成立させる無効電力生成法による１実施例である。
又、実施例２を表す図４は、入力三相交流電源Ｒ相回路に、容量性無効電流を発生させる電磁的構成回路であり、図５の線図を参照して実施の形態を説明する。
図４に於いては、破線に囲まれた三体の単相変圧器の連携により構成されたＹ−△結線（変圧器）（２０４）、及び△−Ｙ結線（変圧器）（２０５）の各入力巻線回路の電線路に於いて、電線路（２０１Ｂ）は、入力三相交流電源（Ｐ）の出力端子である（２０１Ａ）のＲ相端子、電線路（２０２Ｂ）は、電源（Ｐ）の出力端子である（２０２Ａ）のＳ相端子、電線路（２０３Ｂ）は、電源（Ｐ）の出力端子である（２０３Ａ）のＴ相端子に接続している。三相変圧器（２０４）、（２０５）には三脚鉄心体系変圧器も可能である。
Ｙ−△結線（２０４）の各入力巻線巻数を１Ｌとしている。
△−Ｙ結線（２０５）の各入力巻線巻数を３Ｌとしている。
入力三相交流電源（Ｐ）の相順位は、Ｒ，Ｓ，Ｔである。
Ｙ−△結線（２０４）の二次出力１巻線回路側に於いては、（２０６と２０７）端子間相電圧をＵ相電圧、（２０７と２０８Ａ）端子間相電圧をＶ相電圧、（２０８Ａと２０６）端子間相電圧をＴ相電圧として、各１巻線巻数を３Ｌとしている。【００２０】  △−Ｙ結線（２０５）の二次出力１巻線回路に於いては、二次Ｒ相電圧１巻線回路と二次Ｓ相電圧１巻線回路とで二次ＳＲ相複合巻線回路を構成し、その一方の端子（２０８Ｂ）をＶ相電圧巻線回路の端子（２０８Ａ）に接続すると共に、他端子（２０９）は誘導変圧器（２１３）の二次巻線回路（２１４）の白丸端子に接続する。また誘導変圧器（２１３）の二次巻線回路（２１４）の黒丸端子は，Ｖ相電圧巻線回路の端子（２０７）に接続して電気的閉回路Ｋを形成する。さらに、誘導変圧器（２１３）の一次巻線回路（２１５）の黒丸端子は、△−Ｙ結線（２０５）の二次Ｓ相小巻線回路と二次出力Ｔ相小巻線回路とで形成するＴＳ相電圧複合小巻線回路の出力端子（２１０）に接続すると共に、誘導変圧器（２１３）の一次巻線（２１５）の白丸端子は、可変抵抗器（２１２）を介してＴＳ相電圧複合小巻線回路の出力端子（２１１）に接続している。
ＴＳ相電圧複合小巻線回路の各小巻線巻数ｎＬは、１Ｌ巻数より小巻数としている。【００２１】  上記該電気的閉回路Ｋは、誘導変圧器（２１３）の二次巻線回路（２１４）に電圧を与えない無電圧構成回路Ｇでもある。すなわち、無電圧構成回路Ｇを構成するＶ相電圧巻線回路（２０７〜２０８Ａ）に於いては、そのＶ相電圧波は、図５のト．の線図二次Ｖで示す如く図５のチの線図二次ＳＲで示すＳＲ相電圧波と逆位相であるから、同一無電圧構成回路Ｇを構成するＳＲ相電圧巻線回路（２０８Ｂ〜２０９）と、対抗的方向を以て直列に接続する事により、その両端子間交流電圧（２０７と２０９）を無電圧とするものである。尚、Ｖ相電圧巻線回路の１巻線巻数を３Ｌ，ＳＲ相電圧複合巻線回路の単巻線巻数を３Ｌとして，互い（Ｖ相とＳＲ相巻線回路）の相電圧値も合わせている。
文中の説明に於いて、図１、及び図４の巻線回路に於いては、すべてが同一方向巻きで黒丸端子を巻き始め端子、白丸端子を巻き終わり端子としている。【００２２】  次に実施例２の動作として、三相交流電源（Ｐ）の入力を得ているＹ−△結線（２０４）、及び△−Ｙ結線（２０５）の各巻線回路に流れる電流形態の説明をする。
△−Ｙ結線（２０５）の二次ＴＳ相（２１０〜２１１）出力回路から、可変抵抗器（２１２）の調整によって出力する調整用一次ＴＳ相負荷電流ｔｓｉが誘導変圧器（２１３）の一次巻線回路（２１５）を流動する事により、誘導変圧器（２１３）の二次巻線回路（２１４）には、誘導作用により二次誘導電流ｔｓｉが発生すると共に、閉回路Ｋ内を流動する事になるが、該閉回路Ｋは、無電圧構成回路Ｑにて構成されているので、流動する二次誘導電流ｔｓｉのＴＳ相波は、その相波ＴＳを保持しつつ、さらに一次入力電源（Ｐ）Ｒ相電圧回路、並びにＳ相電圧回路に、一次相電流ｔｓｉを誘発させる。
文中の電流ｔｓｉのｔｓｉ記号は、ＴＳ相の波動をもつ電流として示している。【００２３】  この一次相電流ｔｓｉがＹ−△結線（２０４）の一次巻線回路に表れる形態を図５のリ．に示すと、一次入力電源（Ｐ）Ｒ相電圧回路のＲ相電圧を一次Ｒ、Ｓ相電圧回路のＳ相電圧を一次Ｓで示すと、一次相電流ｔｓｉは破線一次ＴＳｉとなり、一次入力電源（Ｐ）Ｒ相電圧回路には、容量性無効電流ｉとなって流動する。他方のＳ相電圧回路（一次Ｓ）には、遅相電気角１５０度の位相ＴＳ電流ｉとなって流動する。
次に△−Ｙ結線（２０５）の一次巻線回路に表れる形態を図５のチ．に示すと、一次入力電源（Ｐ）Ｒ相電圧回路のＲ相電圧を一次Ｒ、Ｓ相電圧回路のＳ相電圧を一次Ｓで示すと、一次相電流ｔｓｉは破線一次ＴＳｉとなり、一次入力電源（Ｐ）Ｒ相電圧回路には、同じく容量性無効電流ｉとなって流動する。他方のＳ相電圧回路には、進相電気角３０度の位相ＴＳ電流ｉとなって流動する。【００２４】  そこで、まず一次入力電源（Ｐ）Ｓ相電圧回路に流動する位相ＴＳ電流を総括すると、図５のチ．リ．に示す如く位相ＴＳ電流ｉは、互いが逆位相に在るので消滅するが、他方のＲ相電圧回路に流動する容量性無効電流ｉは、図５のチ．リ．より、互いが加算されて電流値２ｉの容量性無効電流となり、ここで入力交流電源（Ｐ）Ｒ相回路を流動する生成された容量性無効電流２ｉのみを確認する事が出来る。【００２５】  以上が容量性無効電流を生成する実施例２の説明であるが、上記図４の回路説明に於いて、閉回路Ｋに導通（流動）するＴＳ相電流ｔｓｉの電気的導通方向を反転させる，切替え回路構成をもてば、図５の破線一次ＴＳｉが反転する事から，一次入力電源（Ｐ）Ｒ相電圧回路には、誘導性無効電流が流動する事になる。
又、本実施例２に印加する入力三相交流電源（Ｐ）の入力三相端子「２０１Ａ（Ｒ），２０２Ａ（Ｓ），２０３Ａ（Ｔ）」の接続切替えによって、入力電源（Ｐ）Ｓ相並びにＴ相電圧回路にも無効電流を流動させる事が出来る。
すなわち、実施例２の入力電線路（２０１Ｂ）と入力電源（Ｐ）端子「２０２Ａ（Ｓ）」、入力電線路（２０２Ｂ）と入力電源（Ｐ）端子「２０３Ａ（Ｔ）」、入力電線路（２０３Ｂ）と入力電源（Ｐ）端子「２０１Ａ（Ｒ）」を接続すると、入力電源（Ｐ）Ｓ相電圧回路に無効電流が流動する。
実施例２の入力電線路（２０１Ｂ）と入力電源（Ｐ）端子「２０３Ａ（Ｔ）」、入力電線路（２０２Ｂ）と入力電源（Ｐ）端子「２０１Ａ（Ｒ）」、入力電線路（２０３Ｂ）と入力電源（Ｐ）端子「２０２Ａ（Ｓ）」を接続すると、入力電源（Ｐ）Ｔ相電圧回路に無効電流を流動させる事が出来るので、ここに於いて、三相の無効電流を生成する３回路構成を設けて、実施例１の構成回路に組み入れる事により、無効電力を伴わない、効率の良い効果的な生成電力を得る事が出来る。
【実施例３】
【００２６】  実施例３は、本発明の三相電力生成法による電磁的回路構成に、本発明の無効電力生成法による電磁的回路構成を加えて併合構成回路とした、三相電力生成装置の１実施例である。図６は、実施例３の電気的回路構成図である。【００２７】  次に実施例３装置の実施の形態を図６に基づいて説明する。【００２８】  Ｙ−△結線変圧器（３１７）、及び△−Ｙ結線変圧器（３１８）の各入力三線路は、入力三相交流電源（Ｐ）の出力電源端子の各々Ｒ相端子（３０１），Ｓ相端子（３０２），Ｔ相端子（３０３）に接続している。三相変圧器（３１７）、（３１８）は、共に単相変圧器を連ねた構成にあるので、Ｙ−△結線変圧器（３１７）に於いては、回路（３０７）を設けて安定化を計り、一次入力側単巻線巻数１Ｌに対して二次出力側単巻線巻数を３Ｌとした関係にあり、出力巻線回路の各独立相電圧をＵ，Ｖ，Ｗ相電圧としていると共に、二次側△結線は、末端の出力端子（Ｕ−１，Ｖ−１，Ｗ−１）に至って形成している。
△−Ｙ結線変圧器（３１８）に於いては、一次入力側単巻線巻数３Ｌに対して、各イ，ロの端子をもつ二次出力側単巻線巻数を３Ｌとした単巻線回路をもって、各々複合巻線回路（ＲＴ相、ＳＲ相、ＴＳ相）を形成して、それぞれに（Ｕ，Ｖ，Ｗ）相電圧巻線回路と誘導変圧器（Ｈ１，Ｈ２，Ｈ３）を介して接続し、三通りの無電圧構成回路（Ａ，Ｂ，Ｃ）組みによる３閉回路（Ａ”，Ｂ”，Ｃ”）を構成する。
すなわち、二次出力Ｕ相電圧巻線回路は、同相のＲＴ相電圧複合巻線回路と無電圧構成回路Ａを形成し、誘導変圧器（３０８）Ｈ１の二次巻線を介して閉回路Ａ”を構成する。
二次出力Ｖ相電圧巻線回路は、同相のＳＲ相電圧複合巻線回路と無電圧構成回路Ｂを形成し、誘導変圧器（３０９）Ｈ２の二次巻線を介して閉回路Ｂ”を構成する。
二次出力Ｗ相電圧巻線回路は、同相のＴＳ相電圧複合巻線回路と無電圧構成回路Ｃを形成し、誘導変圧器（３１０）Ｈ３の二次巻線を介して閉回路Ｃ”を構成する。
さらに、各誘導変圧器（Ｈ１，Ｈ２，Ｈ３）の二次巻線巻数２Ｌに対して一次巻線巻数を１Ｌとして、本実施例の各相出力電流を以て、入力電源（Ｐ）各相電圧回路の誘導性無効電流に対峙する適当な巻数関係にしている。【００２９】  次に、上記の三通りの無電圧構成回路（Ａ，Ｂ，Ｃ）に各相電流Ｍを導通する目的をもって構成している、△−Ｙ結線変圧器（３１８）の二次出力小複合巻線回路（ＲＴ相，ＳＲ相、ＴＳ相）に於いて、ＲＴ相（３１５〜３１６）巻線回路の一端（３１６）は、本装置の出力端子（３０５，Ｖ−１）に接続し、他端（３１５）は誘導変圧器Ｈ３の一次巻線を介してＹ−△結線（３１７）の二次出力Ｕ相電圧巻線回路の白丸端子に接続して、本装置の出力両端子（３０４〜３０５）に接続している負荷抵抗１に、Ｕ相電圧と同相にあるＲＴ相（３１５〜３１６）電圧が加算されて印加している。又、ＳＲ相（３１３〜３１４）巻線回路の一端（３１３）は、本装置の出力端子（３０６，Ｗ−１）に接続し、他端（３１４）は誘導変圧器Ｈ１の一次巻線を介してＹ−△結線（３１７）の二次出力Ｖ相電圧巻線回路の白丸端子に接続して、本装置の出力両端子（３０５〜３０６）に接続している負荷抵抗２に、Ｖ相電圧と同相にあるＳＲ相（３１３〜３１４）電圧が加算されて印加している。
さらに、ＴＳ相（３１１〜３１２）巻線回路の一端（３１１）は、本装置の出力端子（３０４，Ｕ−１）に接続し、他端（３１２）は誘導変圧器Ｈ２の一次巻線を介してＹ−△結線（３１７）の二次出力Ｗ相電圧巻線回路の白丸端子に接続して、本装置の出力両端子（３０６〜３０４）に接続している負荷抵抗３に、Ｗ相電圧と同相にあるＴＳ相（３１１〜３１２）電圧が加算されて印加している。負荷抵抗１，２，３は、同一抵抗値である。又、図６の小巻数ｎＬは、巻数１Ｌより小巻数としている。【００３０】  次に上記構成の動作を説明する。
三相交流電源（Ｐ）の入力を得ている本装置（実施例３）に於いて、本装置の三相出力用端子（３０４・Ｕ−１），（３０５・Ｖ−１），（３０６・Ｗ−１）として設けている各端子間出力相電圧は、各々主とする各相（Ｕ，Ｖ，Ｗ）電圧に、各同相（ＲＴ，ＳＲ，ＴＳ）電圧が加わる回路構成にあるので、互いの端子（３０４，３０５，３０６）間出力相電圧は等しくなっている。【００３１】  前記出力３端子間に、出力用としている同抵抗値の３負荷抵抗（１，２，３）が接続されているので、１負荷抵抗（１，２，３）に導通（流動）する電流ｉは、誘導変圧器（Ｈ１，Ｈ２，Ｈ３）の各一次巻線回路を導通する事によって変圧器作用を受け、誘導変圧器（Ｈ１，Ｈ２，Ｈ３）の二次巻線回路の構成する閉回路（Ａ”，Ｂ”，Ｃ”）には、各々１／２の相電流ｉが流動すると共に、両三相変圧器（３１７）（３１８）の一次巻線回路、すなわち入力三相交流電源（Ｐ）の入力各相（Ｒ，Ｓ，Ｔ）回路には容量性無効電流ｉが誘発し流動する状況にある。【００３２】  ところで、３負荷抵抗（１，２，３）に流れる各相（Ｕ−１，Ｖ−１，Ｗ−１）電流ｉは、Ｙ−△結線（変圧器）（３１７）の二次出力巻線回路の独立した各相（Ｕ，Ｖ，Ｗ）電圧回路による出力電流ｉである事から、入力三相交流電源（Ｐ）の入力各相（Ｒ，Ｓ，Ｔ）回路（または，Ｙ−△結線（３１７）の一次入力巻線回路）には、誘導性無効電流ｉが誘発し流動する状況でもある。
従って、入力三相交流電源（Ｐ）各相回路には、互いが逆相となる電流ｉによって、入力電源（Ｐ）電流は消失する事になり、出力三端子（３０４，３０５，３０６）に接続されている３負荷抵抗（１，２，３）には、入力電源（Ｐ）電力を得ない生成電力が供給される結果が得られるものである。
但し小巻線（ｎＬ）回路によって形成される出力用複合小巻線回路（ＲＴ，ＳＲ，ＴＳ）からの小出力電力は、入力三相電源（Ｐ）側の消費電力となるが、実施例３の回路構成に於いては、小巻線巻数ｎＬは、ゼロ巻数に定めても成立するものである。【００３３】  本装置の特徴は、発生する誘導性無効電流に応じて容量性無効電流を生成する自動的回路構成にあって、手動による煩わしさを排除した効率的三相電力生成装置となっている。【００３４】  文中の説明に於いて、図６の巻線回路に於いては、すべてが同一方向巻きで黒丸端子を巻き始め端子、白丸端子を巻き終わり端子としている。
又、本装置の三相変圧器（３１７）（３１８）に於いては、三相用内部三脚鉄心材を用いた三相用変圧器に交換する事が出来る。
尚、全文の説明に渡って、Ｙ−△結線、△−Ｙ結線の二次側結線回路に於ける、△、Ｙ結線の用語が、本説明の電気回路になじまない様な観もあるが、一般的に融通性のある用語として採用している所で、△結線系、Ｙ結線系回路として解釈が出来る用語としているものである。
【産業上の利用可能性】  本発明の新エネルギ−による三相電力生成法に於いては、従来からの代表的エネルギ−源とする石油、天然ガスに替わるクリ−ンエネルギ−の源泉となり、様々な電力生成装置の開発が実践されて行くものと思われる。又、地球環境を良くしようとする社会の願望にのって、産業上の開拓分野は益々広がるものと思われる。
【図面の簡単な説明】
【００３５】
【図１】  本発明の三相電力生成法に基づく実施例１の電気的回路構成図である。
【図２】  Ｙ−△結線変圧器に表れる各電圧相と出力時に流れる入力三相交流電源電流相との相関係を示す線図である。
【図３】  入力三相交流電源の各相回路に流動する電流相を示す線図である。
【図４】  本発明の無効電力生成法に基づく実施例２の電気的回路構成図である。
【図５】  三相変圧器に於ける一次，二次の電圧位相関係を対比的に示した線図（ト）であると共に、一次巻線回路に誘発する各々の電流位相（チ，リ）との関係を明確に示す線図である。
【図６】  本発明の三相電力生成法と無効電力生成法を組み入れた実施例３の電気的回路構成図である。
【符号の説明】
【００３６】  （１０１・Ｒ）（１０２・Ｓ）（１０２・Ｔ）  入力三相交流電源端子
１１４        三相電動発電機
１０４（Ａ，Ｂ，Ｃ）  コンデンサ−
１１７        Ｙ−△結線変圧器
１１９        抵抗性負荷体
（２０１Ａ・Ｒ）（２０２Ａ・Ｓ）  入力三相交流電源端子
（２０３Ａ・Ｔ）                  入力三相交流電源端子
２０４        Ｙ−△結線変圧器
２０５        △−Ｙ結線変圧器
２１２        可変抵抗器
２１３        誘導変圧器
２１４        誘導変圧器の二次巻線回路
２１５        誘導変圧器の一次巻線回路
（３０１・Ｒ）（３０２・Ｓ）  入力三相交流電源端子
（３０３・Ｔ）                入力三相交流電源端子
（３０４・Ｕ−１）（３０５・Ｖ−１）  三相交流出力端子
（３０６・Ｗ−１）                    三相交流出力端子
３０７        Ｙ−△結線変圧器安定用回路
３０８        誘導変圧器Ｈ１  巻線比１対２
３０９        誘導変圧器Ｈ２  巻線比１対２
３１０        誘導変圧器Ｈ３  巻線比１対２
３１７        Ｙ−△結線変圧器
３１８        △−Ｙ結線変圧器
【図１】
2008061483.tif 000003
【図２】
2008061483.tif 000004
【図３】
2008061483.tif 000005
【図４】
2008061483.tif 000006
【図５】
2008061483.tif 000007
【図６】
2008061483.tif 000008